(57)【要約】【課題】煩雑な作業を必要とせず、簡易に追加の端子付電線をコネクタに接続できること。【解決手段】コネクタ付電線１は、複数のキャビティ２１が形成されたコネクタハウジング２と、端子付電線３と、キャビティ２１に収容された状態で、相手側のコネクタハウジング８２側の端子８３１と接続可能な内部端子部４１及びキャビティ２１から相手側のコネクタハウジング８２とは反対側の開口に向けて突出し他の端子付電線３Ｘの端子３１Ｘと接続可能な外部端子部４２を含むオプション用端子４と、を備える。そして、複数のキャビティ２１のうちの一部にコネクタ端子３１が設けられ、複数のキャビティ２１のうちの残りの少なくとも１つにオプション用端子４が設けられている。【選択図】図１
2016039105.tif 000002
【特許請求の範囲】
【請求項１】
複数のキャビティが形成され、相手側のコネクタハウジングと接続可能なコネクタハウジングと、
前記キャビティに収容された状態で、前記相手側のコネクタハウジング側の端子と接続可能な端子部を含むコネクタ端子と、前記コネクタ端子が一端部に接続された絶縁電線と、を含む端子付電線と、
前記キャビティに収容された状態で、前記相手側のコネクタハウジング側の端子と接続可能な内部端子部及び前記キャビティから前記相手側のコネクタハウジングとは反対側の開口に向けて突出し他の端子付電線の端子と接続可能な外部端子部を含むオプション用端子と、を備え、
前記複数のキャビティのうちの一部に前記コネクタ端子が設けられ、前記複数のキャビティのうちの残りの少なくとも１つに前記オプション用端子が設けられている、コネクタ付電線。
【請求項２】
請求項１に記載のコネクタ付電線であって、
前記オプション用端子の前記外部端子部の周囲を覆う保護部をさらに備える、コネクタ付電線。
【請求項３】
請求項２に記載のコネクタ付電線であって、
前記保護部は、樹脂で形成された部材であり、前記外部端子部を覆う状態で前記オプション用端子に固定されて形成されている、コネクタ付電線。
【請求項４】
コネクタのハウジング部のキャビティ内に収容された状態で、相手側のコネクタハウジング側の端子と接続可能な内部端子部と、前記キャビティから前記相手側のコネクタハウジングとは反対側の開口に向けて突出し追加用の端子付電線の端子と接続可能な外部端子部と、を含むオプション用端子と、
樹脂で形成された部材であり、前記オプション用端子の前記外部端子部の周囲を覆う状態で前記オプション用端子と一体に形成されている保護部と、を備えるオプション用コネクタ。
【発明の詳細な説明】
【技術分野】
【０００１】
本発明は、コネクタに電線を接続する技術に関する。
【背景技術】
【０００２】
自動車等の車両に搭載されるワイヤーハーネスにおいて、コネクタ付電線は、複数の端子付電線と複数の端子付電線に接続されたコネクタとを備える。
【０００３】
端子付電線は、絶縁電線と絶縁電線の端部の芯線に接続された端子とを備える。また、コネクタは、端子付電線の端子を収容可能な複数のキャビティとキャビティ内で端子を固定する保持部とを備えるハウジング部を備える。
【０００４】
コネクタ付電線において、複数の端子付電線の端子は、コネクタのハウジング部のキャビティ内に収容される。この状態は、保持部により保持される。そして、特許文献１に示されるように、例えば、２つのコネクタ付電線のコネクタ同士が接続されることにより、１度の接続作業で複数の端子付電線（回路）が接続される。
【先行技術文献】
【特許文献】
【０００５】
【特許文献１】特開２０１３−１４９４９９号公報
【発明の概要】
【発明が解決しようとする課題】
【０００６】
ところで、接続されたコネクタ付電線同士において、新たに端子付電線を追加で接続する場合、接続されたコネクタ同士を取外し、コネクタの保持部による端子が固定された状態を解除し、追加の端子付電線をコネクタに接続した後、再びコネクタ付電線同士の接続作業を行うという煩雑な作業が必要となる。
【０００７】
本発明は、上記のような煩雑な作業を必要とせず、簡易に追加の端子付電線をコネクタに接続できることを目的とする。
【課題を解決するための手段】
【０００８】
第１態様に係るコネクタ付電線は、複数のキャビティが形成され、相手側のコネクタハウジングと接続可能なコネクタハウジングと、前記キャビティに収容された状態で、前記相手側のコネクタハウジング側の端子と接続可能な端子部を含むコネクタ端子と、前記コネクタ端子が一端部に接続された絶縁電線と、を含む端子付電線と、前記キャビティに収容された状態で、前記相手側のコネクタハウジング側の端子と接続可能な内部端子部及び前記キャビティから前記相手側のコネクタハウジングとは反対側の開口に向けて突出し他の端子付電線の端子と接続可能な外部端子部を含むオプション用端子と、を備え、前記複数のキャビティのうちの一部に前記コネクタ端子が設けられ、前記複数のキャビティのうちの残りの少なくとも１つに前記オプション用端子が設けられている。
【０００９】
第２態様に係るコネクタ付電線は、第１態様に係るコネクタ付電線の一態様である。第２態様に係るコネクタ付電線は、前記オプション用端子の前記外部端子部の周囲を覆う保護部をさらに備える。
【００１０】
第３態様に係るコネクタ付電線は、第２態様に係るコネクタ付電線の一態様である。第３態様に係るコネクタ付電線においては、前記保護部は、樹脂で形成された部材であり、前記外部端子部を覆う状態で前記オプション用端子に固定されて形成されている。
【００１１】
第４態様に係るオプション用コネクタは、コネクタのハウジング部のキャビティ内に収容された状態で、相手側のコネクタハウジング側の端子と接続可能な内部端子部と、前記キャビティから前記相手側のコネクタハウジングとは反対側の開口に向けて突出し追加用の端子付電線の端子と接続可能な外部端子部と、を含むオプション用端子と、樹脂で形成された部材であり、前記オプション用端子の前記外部端子部の周囲を覆う状態で前記オプション用端子と一体に形成されている保護部と、を備える。
【発明の効果】
【００１２】
上記の各態様において、コネクタ付電線は、キャビティに収容された状態で、相手側のコネクタハウジング側の端子と接続可能な内部端子部と、キャビティから相手側のコネクタハウジングとは反対側の開口に向けて突出し他の端子付電線の端子と接続可能な外部端子部とを含むオプション用端子を備える。そして、複数のキャビティのうちの一部にコネクタ端子が設けられ、複数のキャビティのうちの残りの少なくとも１つにオプション用端子が設けられている。この場合、このコネクタ付電線のコネクタハウジングが、相手側のコネクタハウジングと接続されると、コネクタ端子とオプション用端子とが、相手側のコネクタハウジング側の端子に接続される。そして、相手側のコネクタハウジングに接続された状態において、オプション用端子の外部端子部は、コネクタハウジングのキャビティから相手側のコネクタハウジングとは反対側の開口に向けて突出している。この場合、追加用の端子付電線を、コネクタハウジングのキャビティから突出した外部端子部に接続するという簡易な作業で、相手側のコネクタハウジングと接続状態にあるコネクタ付電線に新しい端子付電線を追加できる。即ち、煩雑な作業を必要とせず、簡易に追加の端子付電線をコネクタに接続することが可能となる。
【００１３】
また、上記の第２態様において、コネクタ付電線は、オプション用端子の外部端子部の周囲を覆う保護部をさらに備える。この場合、外部端子部の保護が可能となる。
【００１４】
また、上記の第３態様において、保護部は、樹脂で形成された部材であり、外部端子部を覆う状態でオプション用端子に固定されて形成されている。この場合、コネクタ付電線を構成する部品点数を削減することができる。
【００１５】
また、上記の第４態様において、オプション用コネクタは、オプション用端子と保護部とを備える。オプション用端子は、コネクタのハウジング部のキャビティ内に収容された状態で、相手側のコネクタハウジング側の端子と接続可能な内部端子部と、キャビティから相手側のコネクタハウジングとは反対側の開口に向けて突出し追加用の端子付電線の端子と接続可能な外部端子部と、を含む。この場合、オプション用コネクタのオプション用端子をベース用のコネクタハウジングのキャビティに挿入することにより、オプション用コネクタがベース用のコネクタに接続される。これにより、煩雑な作業を必要とせず、簡易に追加の端子付電線を接続できる（ベース用の）コネクタを得ることができる。また、保護部は、樹脂で形成された部材であり、オプション用端子の外部端子部の周囲を覆う状態でオプション用端子と一体に形成されている。この場合、オプション用端子をベース用のコネクタハウジングのキャビティに挿入することにより、オプション用端子の外部端子部が保護された（ベース用の）コネクタを得ることができる。
【図面の簡単な説明】
【００１６】
【図１】第１実施形態に係るコネクタ付電線の一部切り欠き側面図である。
【図２】第１実施形態に係るコネクタ付電線の斜視図である。
【図３】第１実施形態に係るコネクタ付電線の一部切り欠き側面図である。
【図４】第１実施形態に係るコネクタ付電線のオプション用コネクタの斜視図である。
【図５】第１実施形態に係るコネクタ付電線のオプション用コネクタの一部切り欠き側面図である。
【図６】第１実施形態に係るコネクタ付電線及び相手側のコネクタハウジングの一部切り欠き側面図である。
【図７】第１実施形態に係るコネクタ付電線及び相手側のコネクタハウジングの一部切り欠き側面図である。
【図８】第２実施形態に係るコネクタ付電線の一部切り欠き側面図である。
【図９】第３実施形態に係るコネクタ付電線の一部切り欠き側面図である。
【図１０】第４実施形態に係るコネクタ付電線の一部切り欠き側面図である。
【図１１】第５実施形態に係るコネクタ付電線の一部切り欠き平面図である。
【図１２】第５実施形態に係るコネクタ付電線のオプション用コネクタの斜視図である。
【発明を実施するための形態】
【００１７】
以下、添付の図面を参照しながら、本発明の実施形態について説明する。以下の実施形態は、本発明を具現化した一例であり、本発明の技術的範囲を限定する事例ではない。
【００１８】
＜第１実施形態＞
図１〜７を参照しつつ、第１実施形態に係るコネクタ付電線１について説明する。本実施形態に係るコネクタ付電線１は、例えば、自動車等の車両に搭載される。
【００１９】
コネクタ付電線１は、コネクタハウジング２、端子付電線３及びオプション用端子４を備える。本実施形態では、コネクタ付電線１は、オプション用端子４及び保護部５を備えるオプション用コネクタ１０を備える。即ち、本実施形態において、コネクタ付電線１は、コネクタハウジング２と、端子付電線３と、オプション用端子４及び保護部５を備えるオプション用コネクタ１０と、を備えている。
【００２０】
本実施形態では、コネクタ付電線１は、相手側コネクタ付電線８１に接続される。相手側コネクタ付電線８１は、コネクタハウジング８２と、端子８３１及び絶縁電線８３２を備える端子付電線８３と、を備えている。
【００２１】
図１は、コネクタ付電線１の一部切り欠き側面図である。図２は、コネクタ付電線１の斜視図である。図３は、コネクタ付電線１の一部切り欠き平面図である。図４は、オプション用コネクタ１０の斜視図である。図５は、オプション用コネクタ１０の一部切り欠き側面図である。図６は、コネクタ付電線１及びこのコネクタ付電線１に接続可能な相手側のコネクタハウジング８２を備える相手側コネクタ付電線８１の一部切り欠き側面図である。図７は、接続状態のコネクタ付電線１及び相手側コネクタ付電線８１の一部切り欠き側面図である。なお、図１，３，５〜７では、コネクタハウジング２、コネクタハウジング８２又は保護部５の内部が示されている。
【００２２】
＜コネクタ付電線：コネクタハウジング＞
図１〜３に示されるように、コネクタハウジング２には、複数のキャビティ２１が形成されている。複数のキャビティ２１それぞれには、後述するコネクタ端子３１及びオプション用端子４が収容される。
【００２３】
また、コネクタハウジング２は、相手側のコネクタハウジング８２と接続可能である。本実施形態では、図６，７に示されるように、コネクタハウジング８２が、コネクタハウジング２の外周の一部覆う状態で、コネクタハウジング２とコネクタハウジング８２とが接続可能である。なお、コネクタハウジング２が、コネクタハウジング８２の外周の一部覆う状態で、コネクタハウジング２とコネクタハウジング８２とが接続可能である場合も考えられる。
【００２４】
コネクタハウジング２は、絶縁性の部材である。コネクタハウジング２は、例えば、ポリブチレンテレフタレート（ＰＢＴ）又はＡＢＳ樹脂などの絶縁性の樹脂材料で構成されている。
【００２５】
本実施形態は、６つのキャビティ２１がコネクタハウジング２に形成されている場合の事例である。また、本実施形態では、コネクタハウジング２には、コネクタ端子３１及びオプション用端子４を、キャビティ２１に収容した状態で固定する保持部２０が形成されている。
【００２６】
本実施形態において、キャビティ２１は、コネクタハウジング２の一方の側面から他方の側面へ貫通する貫通孔である。
【００２７】
また、本実施形態において、保持部２０は、係止部２０１とリテーナー部２０２とを備えている。係止部２０１は、キャビティ２１に収容されたコネクタ端子３１及びオプション用端子４の一部に引っ掛かることにより、コネクタ端子３１及びオプション用端子４を固定する部分である。リテーナー部２０２は、コネクタ端子３１及びオプション用端子４がキャビティ２１から抜けないように、コネクタ端子３１及びオプション用端子４を押さえる部分である。
【００２８】
なお、保持部２０が、係止部２０１又はリテーナー部２０２のどちらか一方のみを有する場合、或いは、上記に示す構造以外の構造を有する場合も考えられる。
【００２９】
＜コネクタ付電線：端子付電線＞
端子付電線３は、コネクタ端子３１と絶縁電線３２とを備える。コネクタ端子３１は、キャビティ２１に収容された状態で、相手側のコネクタハウジング８２側の端子８３１と接続可能な端子部３１０を含む。また、絶縁電線３２は、コネクタ端子３１が一端部に接続されている。
【００３０】
本実施形態において、コネクタ端子３１は、例えば、銅等を主成分とする金属の部材である。また、絶縁電線３２は、芯線と芯線の周囲を覆う絶縁被覆とを含む。芯線は、例えば、銅又はアルミニウム等の金属を主成分とする線材である。絶縁被覆は、例えば、ポリエチレン又は塩化ビニルなどを主成分とする合成樹脂の部材である。
【００３１】
コネクタ端子３１は、複数のキャビティ２１のうちの一部に設けられている。ちなみに、複数のキャビティ２１のうちの残りの少なくとも１つには、後述するオプション用端子４が設けられている。本実施形態において、コネクタ端子３１は、コネクタハウジング２に形成された６つのキャビティ２１のうちの５つに収容される。そして、図１に示される例のように、コネクタ端子３１の一部に、コネクタハウジング２の係止部２０１が引っ掛かる。これにより、コネクタ端子３１が、コネクタハウジング２に固定される。
【００３２】
また、本実施形態では、コネクタ端子３１は、絶縁電線３２の一端部に接続可能な芯線圧着部３１１及び被覆圧着部３１２を備える。図１に示される例では、芯線圧着部３１１及び被覆圧着部３１２は、コネクタ端子３１において、端子部３１０が形成された側の端部に対し反対側の端部に形成されている。芯線圧着部３１１は、絶縁電線３２の芯線に圧着される部分である。また、被覆圧着部３１２は、絶縁電線３２の絶縁被覆に圧着される部分である。
【００３３】
なお、コネクタ端子３１が、被覆圧着部３１２を備えず、芯線圧着部３１１のみで絶縁電線３２の一端部に接続されている場合も考えられる。また、コネクタ端子３１が、芯線圧着部３１１を備えず、超音波溶接等の溶接によって、絶縁電線３２の芯線に接続されている場合も考えられる。
【００３４】
また、本実施形態において、コネクタ端子３１の端子部３１０は、相手側のコネクタハウジング８２側の端子８３１に嵌合可能な嵌合孔に形成されている。ちなみに、端子８３１におけるコネクタ端子３１に接続する部分である端子部８３１０は、コネクタ端子３１の端子部３１０に嵌合可能な棒状に形成されている。図６，７に示される例では、端子部８３１０は、平板状に形成されている。また、本実施形態において、例えば、コネクタ端子３１の端子部３１０に、端子部３１０の嵌合孔に棒状の端子部８３１０が挿入されることにより、撓み変形し、端子８３１の端子部８３１０とコネクタ端子３１の端子部３１０とを固定する舌片部が形成されていること等が考えられる。
【００３５】
なお、コネクタ端子３１の端子部３１０が、上記以外の構造である場合も考えられる。例えば、後述するように、コネクタ端子３１の端子部３１０が、相手側のコネクタハウジング８２側の端子８３１に形成された孔に挿入されることにより、接続可能な棒状に形成されている場合等が考えられる。
【００３６】
＜コネクタ付電線：オプション用コネクタ（オプション用端子）＞
本実施形態では、コネクタ付電線１は、オプション用コネクタ１０を備える。オプション用端子４は、コネクタハウジング２において、コネクタ端子３１が収容されていないキャビティ２１のうちの少なくとも１つに収容される。本実施形態では、オプション用端子４は、６つのキャビティ２１のうち、コネクタ端子３１が収容されていない１つのキャビティ２１に収容される。なお、例えば、コネクタ端子３１が、コネクタハウジング２に形成された６つのキャビティ２１のうちの４つに収容され、オプション用端子４が、コネクタハウジング２に形成された６つのキャビティ２１のうちの残りの１つ又は２つに収容される場合、或いは、コネクタ端子３１が、コネクタハウジング２に形成された６つのキャビティ２１のうちの３つに収容され、オプション用端子４が、コネクタハウジング２に形成された６つのキャビティ２１のうちの残りの１つ又は２つ又は３つに収容される場合等も考えられる。
【００３７】
オプション用端子４は、内部端子部４１及び外部端子部４２を備える。オプション用端子４の外部端子部４２には、他の端子付電線３Ｘの端子３１Ｘが接続される。
【００３８】
本実施形態において、他の端子付電線３Ｘは、絶縁電線３２Ｘとこの絶縁電線３２Ｘの一端部に接続される端子３１Ｘとを備える。本実施形態において、絶縁電線３２Ｘは、絶縁電線３２と同様、金属を主成分とする線材である芯線及びこの芯線の周囲を覆う合成樹脂の部材である絶縁被覆を備える。また、端子３１Ｘは、コネクタ端子３１と同様、芯線圧着により絶縁電線３２Ｘに接続されていることが考えられる。しかしながら、端子３１Ｘと絶縁電線３２Ｘとが、溶接によって接続されている場合も考えられる。
【００３９】
本実施形態において、他の端子付電線３Ｘの端子３１Ｘは、オプション用端子４の外部端子部４２に接続可能な端子部３１０Ｘを含んでいる。また、本実施形態では、他の端子付電線３Ｘの端子３１Ｘの端子部３１０Ｘは、コネクタ端子３１の端子部３１０と同様の構造を有している。即ち、端子３１Ｘの端子部３１０Ｘは、オプション用端子４の外部端子部４２に嵌合可能な嵌合孔に形成されている。
【００４０】
なお、他の端子付電線３Ｘとは、コネクタハウジング２のキャビティ２１に収容されるコネクタ端子３１を備える端子付電線３以外の端子付電線である。他の端子付電線３Ｘは、例えば、端子付電線３がコネクタハウジング２に接続された後に、コネクタハウジング２に接続されることが考えられる。即ち、他の端子付電線３Ｘは、新たに追加で必要となる回路を接続するために、コネクタハウジング２に接続されることが考えられる。
【００４１】
内部端子部４１は、コネクタハウジング２のキャビティ２１に収容された状態で、相手側のコネクタハウジング８２側の端子８３１と接続可能な部分である。
【００４２】
本実施形態において、オプション用端子４の内部端子部４１は、コネクタ端子３１の端子部３１０と同様の形状を有している。即ち、本実施形態において、オプション用端子４の内部端子部４１は、相手側のコネクタハウジング８２側の端子８３１の端子部８３１０に嵌合可能な嵌合孔に形成されている。
【００４３】
外部端子部４２は、コネクタハウジング２のキャビティ２１に収容された状態で、キャビティ２１から相手側のコネクタハウジング８２とは反対側の開口に向けて突出する部分である。
【００４４】
また、外部端子部４２は、他の端子付電線３Ｘの端子３１Ｘと接続可能な部分である。本実施形態において、オプション用端子４の外部端子部４２は、端子３１Ｘの端子部３１０Ｘに嵌合可能な棒状に形成されている。図１〜５に示されるように、本実施形態では、外部端子部４２も平板状に形成されている。なお、本実施形態では、外部端子部４２は、相手側のコネクタハウジング８２側の端子８３１の端子部８３１０と同様の構造を有している。また、外部端子部４２が、上記以外の構造である場合も考えられる。
【００４５】
＜コネクタ付電線：オプション用コネクタ（保護部）＞
本実施形態において、コネクタ付電線１は、保護部５を備えるオプション用コネクタ１０を備える。オプション用コネクタ１０における保護部５は、オプション用端子４の外部端子部４２の周囲を覆う。
【００４６】
また、本実施形態では、さらに、保護部５は、樹脂で形成された部材である。また、保護部５が、絶縁性の部材であることも考えられる。保護部５は、例えば、ポリプロピレン（ＰＰ）、ポリエチレンテレフタレート（ＰＥＴ）、ポリブチレンテレフタレート（ＰＢＴ）又はＡＢＳ樹脂などの絶縁性の樹脂材料で構成されている。
【００４７】
また、本実施形態では、保護部５は、外部端子部４２を覆う状態でオプション用端子４に固定されて形成されている。オプション用コネクタ１０は、例えば、オプション用端子４を金型内に挿入した状態で、オプション用端子４における外部端子部４２の周囲に樹脂を射出してオプション用端子４と樹脂とを一体化するインサート成形によって得られる部材であることが考えられる。即ち、本実施形態では、保護部５は、オプション用端子４と一体に形成されている。
【００４８】
図４，５に示される例において、保護部５は、オプション用端子４の外部端子部４２に対し間隔を空けて外部端子部４２の周囲を取り囲む周壁部５１と、オプション用端子４における外部端子部４２と内部端子部４１との間の部分に接触して形成され、周壁部５１に連なる接触部５２と、を備える。即ち、周壁部５１は、接触部５２から起立するように形成されている。
【００４９】
また、図４，５に示される例では、周壁部５１の内周面が成す輪郭形状は、四角形状である。しかしながら、周壁部５１の内周面が成す輪郭形状が、円形状又は角丸長方形状等である場合も考えられる。
【００５０】
また、図４，５に示される例においては、オプション用端子４の外部端子部４２の先端が、周壁部５１における接触部５２側に対し反対側の端部よりも内側（接触部５２側）になるように、オプション用端子４と保護部５とが一体に形成されている。
【００５１】
＜コネクタ付電線＞
次に、図６，７を参照しつつ、コネクタ付電線１及びこのコネクタ付電線１に接続される相手側コネクタ付電線８１について説明する。コネクタ付電線１及び相手側コネクタ付電線８１を備えるワイヤーハーネス１００は、例えば、自動車等の車両に搭載される。
【００５２】
相手側コネクタ付電線８１は、上述の通り、コネクタハウジング８２と、端子８３１及び絶縁電線８３２を備える端子付電線８３と、を備える。
【００５３】
コネクタハウジング８２は、絶縁性の部材であり、コネクタハウジング２に接続可能な部材である。コネクタハウジング８２は、例えば、コネクタハウジング２と同じ構造を有する場合が考えられる。即ち、本実施形態において、コネクタハウジング８２には、複数のキャビティ８２１が形成されている。また、コネクタハウジング８２には、端子８３１をキャビティ８２１内で固定する保持部８２０が形成されている。なお、コネクタハウジング８２が、コネクタハウジング２と異なる構造の保持部８２０を有している場合も考えられる。
【００５４】
また、端子付電線８３における端子８３１は、コネクタ端子３１の端子部３１０及びオプション用端子４の内部端子部４１に接続可能な端子部８３１０を備える。本実施形態では、端子部８３１０は、コネクタ端子３１の端子部３１０及びオプション用端子４の内部端子部４１の嵌合孔に嵌合可能な棒状に形成されている。図６，７に示される例において、端子部８３１０は、平板状に形成されている。
【００５５】
また、端子付電線８３における絶縁電線８３２は、絶縁電線３２と同様、金属を主成分とする線材である芯線及びこの芯線の周囲を覆う合成樹脂の部材である絶縁被覆を備える。絶縁電線８３２の端部には、端子８３１が、圧着又は溶接等によって接続されている。
【００５６】
例えば、コネクタ付電線１のコネクタ端子３１の端子部３１０及びオプション用端子４の内部端子部４１と相手側コネクタ付電線８１の端子８３１の端子部８３１０とが対向した状態で、コネクタハウジング２とコネクタハウジング８２とが近付けられる。そして、本実施形態では、コネクタ付電線１におけるコネクタ端子３１の端子部３１０及びオプション用端子４の内部端子部４１の嵌合孔に、相手側コネクタ付電線８１の端子８３１の棒状に形成された端子部８３１０が挿入される。コネクタ端子３１の端子部３１０及びオプション用端子４の内部端子部４１と端子８３１の端子部８３１０とが嵌り合うことにより、図７に示されるように、コネクタ付電線１と相手側コネクタ付電線８１とが接続される。そして、コネクタ付電線１における端子付電線３と相手側コネクタ付電線８１における端子付電線８３とが、電気的に接続される。
【００５７】
本実施形態では、相手側コネクタ付電線８１におけるコネクタハウジング８２の一部が、コネクタ付電線１におけるコネクタハウジング２の一部を覆っている。なお、このコネクタハウジング８２におけるコネクタハウジング２を覆う部分に、コネクタハウジング２の固定用の係止爪が形成され、コネクタハウジング２におけるコネクタハウジング８２に覆われる部分に、上記係止爪に係止可能な凹部が形成されている場合も考えられる。即ち、コネクタ付電線１におけるコネクタハウジング２及び相手側コネクタ付電線８１におけるコネクタハウジング８２自体に、コネクタハウジング２とコネクタハウジング８２とを固定する固定構造が形成されている場合も考えられる。
【００５８】
接続状態のコネクタ付電線１及び相手側コネクタ付電線８１を備えるワイヤーハーネス１００において、コネクタ付電線１におけるオプション用端子４の外部端子部４２は、コネクタハウジング２における相手側のコネクタハウジング８２側に対し反対側に向かって、コネクタハウジング２のキャビティ２１の開口から突出している。なお、本実施形態において、オプション用端子４の外部端子部４２の周囲は、保護部５により囲まれている。
【００５９】
そのため、ワイヤーハーネス１００に、新しい端子付電線（他の端子付電線３Ｘ）を接続する必要が生じたときに、コネクタハウジング２から突出しているオプション用端子４の外部端子部４２に、他の端子付電線３Ｘにおける端子３１Ｘを接続することで、相手側コネクタ付電線８１の端子付電線８３にオプション用端子４を介して他の端子付電線３Ｘを電気的に接続することが可能となる。本実施形態においては、他の端子付電線３Ｘの端子３１Ｘの端子部３１０Ｘの嵌合孔に、オプション用端子４に形成された棒状の外部端子部４２を挿入することで、オプション用端子４の外部端子部４２と他の端子付電線３Ｘの端子３１Ｘの端子部３１０Ｘとが嵌り合う。これにより、コネクタ付電線１のコネクタハウジング２に他の端子付電線３が接続され、また、相手側コネクタ付電線８１の端子付電線８３と他の端子付電線３Ｘとが、オプション用端子４を介して電気的に接続される。
【００６０】
そして、上記の追加の端子付電線接続作業においては、コネクタ付電線１と相手側コネクタ付電線８１との接続状態を解除する必要がない。即ち、コネクタ付電線１のコネクタハウジング２と相手側コネクタ付電線８１のコネクタハウジング８２とが固定されている状態のまま、上記の追加の端子付電線接続作業を行うことができる。また、本実施形態において、上記の追加の端子付電線接続作業は、コネクタハウジング２の保持部２０によってコネクタ端子３１及びオプション用端子４がコネクタハウジング２のキャビティ２１に収容され固定された状態のままで行うこともできる。
【００６１】
＜効果＞
本実施形態において、コネクタ付電線１は、キャビティ２１に収容された状態で、相手側のコネクタハウジング８２側の端子８３１と接続可能な内部端子部４１と、キャビティ２１から相手側のコネクタハウジング８２とは反対側の開口に向けて突出し他の端子付電線３の端子３１Ｘと接続可能な外部端子部４２とを含むオプション用端子４を備える。そして、複数のキャビティ２１のうちの一部にコネクタ端子３１が設けられ、複数のキャビティ２１のうちの残りの少なくとも１つにオプション用端子４が設けられている。この場合、このコネクタ付電線１のコネクタハウジング２が、相手側のコネクタハウジング８２と接続されると、コネクタ端子３１及びオプション用端子４が、相手側のコネクタハウジング８２側の端子８３１に接続される。そして、相手側のコネクタハウジング８２に接続された状態において、オプション用端子４の外部端子部４２は、コネクタハウジング２のキャビティ２１から相手側のコネクタハウジング８２とは反対側の開口に向けて突出している。この場合、追加用の端子付電線（他の端子付電線３Ｘ）を、コネクタハウジング２のキャビティ２１から突出した外部端子部４２に接続するという簡易な作業で、相手側のコネクタハウジング８２と接続状態にあるコネクタ付電線１に新しい端子付電線（他の端子付電線３Ｘ）を追加できる。即ち、煩雑な作業を必要とせず、簡易に端子付電線をコネクタに追加し、接続することが可能となる。そのため、本実施形態では、例えば、車両側に搭載された相手側コネクタ付電線８１からコネクタ付電線１を取り外すことなく、電源又はアースの回路等に、追加の端子付電線（他の端子付電線３Ｘ）を接続することができる。
【００６２】
また、本実施形態において、コネクタ付電線１は、オプション用端子４の外部端子部４２の周囲を覆う保護部５をさらに備える。この場合、外部端子部４２の保護が可能となる。
【００６３】
また、本実施形態において、保護部５は、樹脂で形成された部材であり、外部端子部４２を覆う状態でオプション用端子４に固定されて形成されている。この場合、コネクタ付電線１を構成する部品点数を削減することができる。
【００６４】
また、本実施形態において、オプション用コネクタ１０は、オプション用端子４と保護部５とを備える。オプション用端子４は、コネクタハウジング２のキャビティ２１内に収容された状態で、相手側のコネクタハウジング８２側の端子８３１と接続可能な内部端子部４１と、キャビティ２１から相手側のコネクタハウジング８２とは反対側の開口に向けて突出し追加用の端子付電線（他の端子付電線３Ｘ）の端子３１Ｘと接続可能な外部端子部４２と、を含む。この場合、オプション用コネクタ１０のオプション用端子４をベース用のコネクタハウジング２のキャビティ２１に挿入することにより、オプション用コネクタ１０がベース用のコネクタに接続される。これにより、煩雑な作業を必要とせず、簡易に追加の端子付電線（他の端子付電線３Ｘ）を接続できるコネクタハウジング２を得ることができる。また、保護部５は、樹脂で形成された部材であり、オプション用端子４の外部端子部４２の周囲を覆う状態でオプション用端子４と一体に形成されている。この場合、オプション用端子４をベース用のコネクタハウジング２のキャビティ２１に挿入することにより、オプション用端子４の外部端子部４２が保護された（ベース用の）コネクタを得ることができる。
【００６５】
また、本実施形態では、コネクタハウジング２からオプション用端子４の外部端子部４２が突出している。この場合、他の端子付電線３Ｘの接続先を容易に判別することが可能となる。
【００６６】
また、本実施形態では、オプション用端子４の内部端子部４１とコネクタ端子３１の端子部３１０とが、同じ構造を有する。また、オプション用端子４が、コネクタ端子３１と同様のコネクタハウジング２の保持部２０との固定構造を有する。この場合、例えば、従来から用いられていた既存のコネクタハウジング２を流用してコネクタ付電線１を作ることができる。また、コネクタ端子３１を加工してオプション用端子４を作ることも考えられる。この場合、オプション用端子４を簡易に、且つ、製造コストを抑制して作ることができる。
【００６７】
また、本実施形態では、他の端子付電線３Ｘの端子３１Ｘの端子部３１０Ｘが差し込まれることにより、接続可能な外部端子部４２をオプション用端子４が含む。この場合、より簡易に新しい端子付電線（他の端子付電線３Ｘ）を追加することができる。
【００６８】
＜第２実施形態＞
次に、図８を参照しつつ、第２実施形態に係るコネクタ付電線１Ａについて説明する。図８は、コネクタ付電線１Ａの一部切り欠き側面図である。図８において、図１〜７に示される構成要素と同じ構成要素は、同じ参照符号が付されている。
【００６９】
本実施形態では、コネクタ付電線１Ａにおけるコネクタ端子３１の端子部３１０Ａ及びオプション用端子４の内部端子部４１Ａの構造が、第１実施形態と異なる。以下、コネクタ付電線１Ａにおけるコネクタ付電線１と異なる点について説明する。
【００７０】
コネクタ付電線１Ａにおいて、コネクタ端子３１の端子部３１０Ａ及びオプション用端子４の内部端子部４１Ａは、棒状に形成されている。図８に示される例において、コネクタ端子３１の端子部３１０Ａ及びオプション用端子４の内部端子部４１Ａは、平板状に形成されている。また、本実施形態において、コネクタハウジング２は、コネクタ端子３１の端子部３１０Ａ及びオプション用端子４の内部端子部４１Ａを覆うように形成されている部分を含んでいる。
【００７１】
このコネクタ付電線１Ａは、端子８３１の端子部８３１０が嵌合孔に形成された相手側コネクタ付電線８１に接続可能である。即ち、棒状に形成されたコネクタ端子３１の端子部３１０Ａ及びオプション用端子４の内部端子部４１Ａが、端子８３１の端子部８３１０の嵌合孔に挿入されることにより嵌り合い、コネクタ付電線１Ａと相手側コネクタ付電線８１とが接続される。本実施形態においても、第１実施形態と同様の効果を得ることができる。
【００７２】
＜第３実施形態＞
次に、図９を参照しつつ、第３実施形態に係るコネクタ付電線１Ｂについて説明する。図９は、コネクタ付電線１Ｂの一部切り欠き側面図である。図９において、図１〜８に示される構成要素と同じ構成要素は、同じ参照符号が付されている。
【００７３】
本実施形態では、オプション用端子４の外部端子部４２Ｂの構造が、第１実施形態と異なる。以下、コネクタ付電線１Ｂにおけるコネクタ付電線１と異なる点について説明する。
【００７４】
コネクタ付電線１Ｂにおいて、オプション用端子４の外部端子部４２Ｂは、嵌合孔に形成されている。このコネクタ付電線１Ｂのオプション用端子４の外部端子部４２Ｂには、端子３１Ｘの端子部３１０Ｘが棒状に形成された他の端子付電線３Ｘが接続可能である。即ち、棒状に形成された端子３１Ｘの端子部３１０Ｘが、オプション用端子４の外部端子部４２Ｂの嵌合孔に挿入されることにより嵌り合い、コネクタ付電線１Ｂに他の端子付電線３Ｘが接続される。そして、コネクタ付電線１Ｂと相手側コネクタ付電線８１とが接続されることにより、他の端子付電線３Ｘが、オプション用端子４を介して相手側コネクタ付電線８１に接続される。本実施形態においても、第１実施形態と同様の効果を得ることができる。
【００７５】
＜第４実施形態＞
次に、図１０を参照しつつ、第４実施形態に係るコネクタ付電線１Ｃについて説明する。図１０は、コネクタ付電線１Ｃの一部切り欠き側面図である。図１０において、図１〜９に示される構成要素と同じ構成要素は、同じ参照符号が付されている。
【００７６】
本実施形態では、コネクタ付電線１Ｃにおけるコネクタ端子３１の端子部３１０Ｃ及びオプション用端子４の内部端子部４１Ｃの構造が、第１実施形態と異なる。また、オプション用端子４の外部端子部４２Ｃの構造が、第１実施形態と異なる。以下、コネクタ付電線１Ｃにおけるコネクタ付電線１と異なる点について説明する。
【００７７】
コネクタ付電線１Ｃにおいて、コネクタ端子３１の端子部３１０Ｃ及びオプション用端子４の内部端子部４１Ｃは、棒状に形成されている。図１０に示される例において、コネクタ端子３１の端子部３１０Ｃ及びオプション用端子４の内部端子部４１Ｃは、平板状に形成されている。なお、本実施形態において、コネクタハウジング２は、コネクタ端子３１の端子部３１０Ａ及びオプション用端子４の内部端子部４１Ａを覆うように形成されている部分を含んでいる。
【００７８】
このコネクタ付電線１Ｃは、端子８３１の端子部８３１０が嵌合孔に形成された相手側コネクタ付電線８１に接続可能である。即ち、棒状に形成されたコネクタ端子３１の端子部３１０Ｃ及びオプション用端子４の内部端子部４１Ｃが、端子８３１の端子部８３１０の嵌合孔に挿入されることにより嵌り合い、コネクタ付電線１Ｃと相手側コネクタ付電線８１とが接続される。
【００７９】
また、コネクタ付電線１Ｃにおいて、オプション用端子４の外部端子部４２Ｃは、嵌合孔に形成されている。このコネクタ付電線１Ｃのオプション用端子４の外部端子部４２Ｃには、端子３１Ｘの端子部３１０Ｘが棒状に形成された他の端子付電線３Ｘが接続可能である。即ち、棒状に形成された端子３１Ｘの端子部３１０Ｘが、オプション用端子４の外部端子部４２Ｃの嵌合孔に挿入されることにより嵌り合い、コネクタ付電線１Ｃに他の端子付電線３Ｘが接続される。そして、コネクタ付電線１Ｃと相手側コネクタ付電線８１とが接続されることにより、他の端子付電線３Ｘが、オプション用端子４を介して相手側コネクタ付電線８１に接続される。本実施形態においても、第１実施形態と同様の効果を得ることができる。
【００８０】
＜第５実施形態＞
次に、図１１，１２を参照しつつ、第５実施形態に係るコネクタ付電線１Ｄ及びオプション用コネクタ１０Ｄについて説明する。図１１は、コネクタ付電線１Ｃの一部切り欠き平面図である。図１２は、オプション用コネクタ１０Ｄの斜視図である。図１１，１２において、図１〜１０に示される構成要素と同じ構成要素は、同じ参照符号が付されている。
【００８１】
本実施形態では、オプション用コネクタ１０Ｄの構造が、第１実施形態と異なる。また、オプション用コネクタ１０Ｄを備える点で、コネクタ付電線１Ｄが、第１実施形態と異なる。以下、コネクタ付電線１Ｄにおけるコネクタ付電線１と異なる点について説明する。
【００８２】
オプション用コネクタ１０Ｄは、複数のオプション用端子４と、複数のオプション用端子４を一括して複数のオプション用端子４と一体に形成された保護部５と、を備える。図１１，１２に示される例では、２つのオプション用端子４の外部端子部４２を、１つの保護部５が覆っている。
【００８３】
本実施形態において、保護部５は、２つのオプション用端子４の外部端子部４２をそれぞれ取り囲む空間を成す周壁部５１と、それぞれのオプション用端子４に接触する２つの接触部５２と、を備えている。
【００８４】
また、本実施形態は、オプション用コネクタ１０Ｄは、２つのオプション用端子４が横に並列に並んだ状態で、保護部５と一体化されることより形成されている場合の事例である。しかしながら、オプション用コネクタ１０Ｄが、複数のオプション用端子４が縦に並列に並んだ状態で、保護部５と一体化されることより形成されている場合も考えられる。また、３つ以上の複数のオプション用端子４が横に並列に並んだ箇所と縦に並列に並んだ箇所とを有した状態で、保護部５と一体化されることより形成されている場合等も考えられる。例えば、保護部５における周壁部５１に囲まれる空間が、Ｌ字状に並んでいる場合等が考えられる。
【００８５】
そして、コネクタ付電線１Ｄは、コネクタハウジング２、端子付電線３及びオプション用コネクタ１０Ｄを備える。本実施形態においても、第１実施形態と同様の効果を得ることができる。
【００８６】
また、本実施形態では、コネクタ付電線１Ｄには、２本の他の端子付電線３Ｘを追加で接続することができる。そのため、例えば、電源とアースとを同時に接続すること等も可能となる。
【００８７】
＜応用例＞
オプション用端子４と保護部５とがインサート成形以外の方法で、一体に形成されている場合も考えられる。例えば、予め、作られた保護部５にオプション用端子４を圧入することにより、オプション用コネクタ１０を得ることもできる。
【００８８】
また、保護部５が、オプション用端子４の外部端子部４２に巻き付けられた樹脂のテープである場合も考えられる。また、保護部５が、オプション用端子４の外部端子部４２に対して後付されるキャップ等の部材であることも考えられる。
【００８９】
なお、本発明に係るコネクタ付電線及びオプション用コネクタは、各請求項に記載された発明の範囲において、以上に示された各実施形態及び応用例を自由に組み合わせること、或いは、各実施形態及び応用例を適宜、変形する又は一部を省略することによって構成されることも可能である。
【符号の説明】
【００９０】
１  コネクタ付電線
１０  オプション用コネクタ
１００  ワイヤーハーネス
１０Ｄ  オプション用コネクタ
１Ａ  コネクタ付電線
１Ｂ  コネクタ付電線
１Ｃ  コネクタ付電線
１Ｄ  コネクタ付電線
２  コネクタハウジング
２０  保持部
２０１  係止部
２０２  リテーナー部
２１  キャビティ
３  端子付電線
３１  コネクタ端子
３１０  端子部
３１０Ａ  端子部
３１０Ｃ  端子部
３１０Ｘ  端子部
３１１  芯線圧着部
３１１Ｘ  芯線圧着部
３１２  被覆圧着部
３１２Ｘ  被覆圧着部
３１Ｘ  端子
３２  絶縁電線
３２Ｘ  絶縁電線
３Ｘ  他の端子付電線
４  オプション用端子
４１  内部端子部
４１Ａ  内部端子部
４１Ｃ  内部端子部
４２  外部端子部
４２Ｂ  外部端子部
４２Ｃ  外部端子部
５  保護部
５１  周壁部
５２  接触部
８１  相手側コネクタ付電線
８２  コネクタハウジング
８２０  保持部
８２１  キャビティ
８３  端子付電線
８３１  端子
８３１０  端子部
８３２  絶縁電線
【図１】
2016039105.tif 000003
【図２】
2016039105.tif 000004
【図３】
2016039105.tif 000005
【図４】
2016039105.tif 000006
【図５】
2016039105.tif 000007
【図６】
2016039105.tif 000008
【図７】
2016039105.tif 000009
【図８】
2016039105.tif 000010
【図９】
2016039105.tif 000011
【図１０】
2016039105.tif 000012
【図１１】
2016039105.tif 000013
【図１２】
2016039105.tif 000014